(57)【要約】      （修正有）【課題】バグリング効率が高く、水位制御の正確度を向上する、水質浄化装置に関わるタンパク質分離構造を提供する。【解決手段】反応チャンバー３及び反応チャンバー３の上端に接続されている廃液回収カップ１を含み、反応チャンバー３内にウォーターポンプ及びウォーターポンプと連通する圧縮チャンバーが設けられ、圧縮チャンバーの底部に螺旋状チャンネルが設けられ、圧縮チャンバーの頂部に多孔板が設けられ、多孔板に螺旋状チャンネルと同じ回転方向の螺旋状篩目が設けられ、螺旋状チャンネルを経て前記ウォーターポンプが水体を圧縮チャンバーまで汲み上げ、且つ、水体が多孔板に衝突することによって、螺旋状多孔板が反応チャンバー３へ噴射するようにする。【選択図】図１
0003224668.tif 000002
【実用新案登録請求の範囲】
【請求項１】
蛋白質分離構造であり、反応チャンバー及び反応チャンバーの上端に接続されている廃液回収カップを含み、 前記反応チャンバー内にウォーターポンプ及びウォーターポンプと連通する圧縮チャンバーが設けられ、前記圧縮チャンバーの底部に螺旋状チャンネルが設けられ、 圧縮チャンバーの頂部に多孔板が設けられ、前記多孔板に螺旋状チャンネルと同じ回転方向の螺旋状篩目が設置設けられ、且つ、螺旋状チャンネルを経て前記ウォーターポンプが水体を圧縮チャンバーまで汲み上げ、水体が前記多孔板に衝突することによって、螺旋状篩目が反応チャンバーへ噴射するようにすることを特徴とする、蛋白質分離構造。
【請求項２】
前記ウォーターポンプの取水口端が、反応チャンバーの外側に設置されている取水口端と連通しており、取水口の半径方向側壁に、取水口と連通する吸気口が設けられ、前記ウォーターポンプが取水口を経て水を汲み上げる時、取水口箇所で発生する負圧が吸気口から空気を抽出して水体に混入することを特徴とする請求項1に記載の蛋白質分離構造。
【請求項３】
前記廃液回収カップと前記反応チャンバーの間に、環状の消音器を通じて接続し、前記環状の消音器に吸気口、排気口と消音チャンネルが設けられており、前記吸気口と排気口が、環状消音器の内部の消音チャンネルを介して連通しており、前記排気口が、環状消音器の一端から露出し、吸気管を介して吸気口と連通することを特徴とする請求項2に記載の蛋白質分離構造。
【請求項４】
前記反応チャンバーの一側に、反応チャンバー底部と連通する水位調節器が設けられ、前記水位調節器は排水口と排水管を含み、 前記排水管に調節レバーを内蔵し、前記調節レバーの底部に排水管の内壁に合わせる栓部と連結し、前記調節レバーの頂部がラックを通じてノブと噛み合わせ、回転ノブを回転し、ラックと噛み合わせ、調節レバーが底部の栓部を動かして排水管に沿って上下に運動して排水口の排水量を調節することを特徴とする請求項1-3の何れか一に記載の蛋白質分離構造。
【請求項５】
反応チャンバーの底板を取付板のクイックリリース構造に固定し、取り付けることをさらに含むことを特徴とする請求項4に記載の蛋白質分離構造。
【請求項６】
前記クイックリリース構造が、底板に設置されているボルト調整穴であり、ボルトが当該ねじ調整穴を通して、取付板に固定され、取付板と相対して底板を回し、ボルトがボルト調整穴に沿って滑り、ボルト調整穴に、少なくとも一つの箇所が、ボルトの大きな端が通るように備えることを特徴とする請求項5に記載の蛋白質分離構造。
【請求項７】
前記クイックリリース構造が、ボルトに沿って回転可能な回転舌を含み、前記回転舌の下端に前記底板座屈用口が設けられ、前記回転舌がボルトを通じて固定板に取り付けられることを特徴とする請求項5に記載の蛋白質分離構造。
【請求項８】
前記クイックリリース構造が、ボルト調整穴が設置されている押しブロックを含み、ボルトがボルト調節穴を通じて取付板と連結し、ボルト調節穴に沿って押しブロックを押し、押しブロックの側面の押し板が底板の上表面まで伸びて、ボルトをロックし、底板を取付板に固定することを特徴とする請求項5に記載の蛋白質分離構造。
【請求項９】
前記クイックリリース構造が、ボルトを通じて取付板に固定される固定ブロック及び、固定ブロックと連結する可動ブロックを含み、前記可動ブロックのとめ金が固定ブロックの側端を貫通し、且つ底板を取付板に押し付けることを特徴とする請求項5に記載の蛋白質分離構造。
【請求項１０】
前記可動ブロックに、前記とめ金の側端にガセット板が設けられ、とめ金が固定ブロックと連結する時に、ガセット板と固定ブロックとの間に隙間があることを特徴とする請求項9に記載の蛋白質分離構造。
【考案の詳細な説明】
【技術分野】
【０００１】
本実用新案は、水質浄化装置に関わり、特に一種のタンパク質分離構造に関わる。
【背景技術】
【０００２】
既存の蛋白質分離装置は、機能上においてタンパク質分離を満たし、水質浄化の目的を達成できるが、多くの性能が自分の思うようにならない。例えば、バブリング性能が比較に弱く、浄化効果が明らかではなく、且つ、使用中に発生する騒音が大きく、外部消音装置を利用して装置の全体的な調和に影響を与える状況があり、それに加えて、水位調節において殆ど水バルブで調節するので、制御精度が高くない状況がある。現状に基づき、一種の改善された蛋白質分離構造を提出する必要がある。
【考案の概要】
【考案が解決しようとする課題】
【０００３】
本発明の目的は、現有技術の不足を克服し、一種の蛋白質分離構造を提供し、即ち、バブリング効率が高く、浄化効率が明らかである蛋白質を提供し、且つ、消音装置を蛋白質分離装置本体に有効に整合し、それに加えて、水位制御の正確度を向上し、水体の浄化品質を把握することができる。
【課題を解決するための手段】
【０００４】
前記の技術的課題を解決する為に、本実用新案は、一種のタンパク質分離構造を提供するので、下記の改善点がある。反応チャンバー及び反応チャンバーの上端に接続されている廃液回収カップを含み、前記反応チャンバー内にウォーターポンプ及びウォーターポンプと連通する圧縮チャンバーが設けられ、前記圧縮チャンバーの底部に螺旋状チャンネルが設けられ、圧縮チャンバーの頂部に多孔板が設けられ、前記多孔板に螺旋状チャンネルと同じ回転方向の螺旋状篩目が設けられ、螺旋状チャンネルを経て前記ウォーターポンプが水体を圧縮チャンバーまで汲み上げ、且つ、水体が前記多孔板に衝突することによって、螺旋状篩目が反応チャンバーへ噴射するようにする。
【０００５】
前記構造において、前記ウォーターポンプの取水口が反応チャンバー外側に設置されている取水口と連結し、取水口の直径方向側壁に取水口と通じる吸気口が設置され、前記ウォーターポンプが取水口を通して水をくみ上げる時に、取水口箇所で発生する陰圧が吸気口から空気を抽出して水体に混ぜる。
【０００６】
前記構造において、前記廃液収集カップと反応チャンバーが、環形消音装置を通じて連結し、環形消音装置に吸気口、排気口及び消音チャネルが設置され、前記吸気口穴と前記排気口が、環形消音装置内部の消音チャネルを通じて互いに連結し、前記排気口が、環状消音器の一端から露出し、吸気管を介して吸気口と連通する。
【０００７】
前記構造において、前記反応チャンバーの一側に、反応チャンバー底部と連通する水位調節器が設けられ、前記水位調節が、排水口と排水管を含み、 前記排水管に調節レバーを内蔵し、前記調節レバーの底部に、排水管の内壁に合わせる栓部と連結し、前記調節レバーの頂部がラックを通じてノブと噛み合わせ、回転ノブが伝動ラックと噛み合わせ、調節レバーが底部の栓部を動かして排水管に沿って上下に運動して排水口の排水量を調節する。
【０００８】
前記構造において、反応チャンバーの底板を取付板のクイックリリース構造に固定し、取り付けることをさらに含まれている。前記構造の中で、前記クイックリリース構造が底板に設置されているボルト調整穴であり、ボルトが当該螺旋調整穴を通して、取付板に固定され、取付板と相対して底板を回し、ボルトがボルト調整穴に沿って滑り、ボルト調整穴に少なくとも一つの箇所が、ボルトの大きな端が通るように備える。
【０００９】
前記構造において、前記クイックリリース構造がボルトに沿って回転可能な回転舌を含み、前記回転舌の下端に前記底板座屈用口が設けられ、前記回転舌がボルトを通じて固定板に取り付けられる。
【００１０】
前記構造において、前記クイックリリース構造がボルト調整穴が設置されている押しブロックを含み、ボルトがボルト調整穴を通して、取付板と連結し、螺旋調節穴に沿って押しブロックを押し、押しブロックの側面の押し板が底板の上表面まで伸びて、ボルトをロックし、底板を取付板に固定する。
【００１１】
前記構造において、前記クイックリリース構造が、ボルトを通じて取付板に固定される固定ブロック及び、固定ブロックと連結する可動ブロックを含み、前記可動ブロックのとめ金が固定ブロックの側端を貫通し、且つ、底板を取付板に押し付ける。
前記構造において、前記可動ブロックに、前記さし金の側端にガセット板が設けられ、とめ金が固定ブロックと連結する時に、ガセット板と固定ブロックとの間に隙間がある。
【考案の効果】
【００１２】
本実用新案の実施形態を実施する時に、下記の有益な効果がある。
本実用新案の実施形態において、本実用新案は、一種のタンパク質分離構造を提供し、この構造は、バブリング効率が高く、浄化効率が明らかで、且つ、消音装置を蛋白質分離装置本体に有効に整合し、それに加えて、水位制御の正確度を向上し、水体の浄化品質を把握することができる。
【図面の簡単な説明】
【００１３】
【図１】図1は、本実用新案の実施形態における一種の蛋白質分離構造の立体図である。
【図２】図2は、本実用新案の実施形態における一種の蛋白質分離構造の内部構造図である。
【図３】図3は、本実用新案の実施形態における環形消音装置の内部構造略図である。
【図４】図4は、本実用新案の実施形態における圧縮チャンバー構造及びこれとウォーターポンプとの接続略図である。
【図５】図5は、本実用新案の実施形態における一種の蛋白質分離構造の作動状態の略図である。
【図６】図6は、本実用新案の実施形態におけるクイックリリース構造の略図である。
【符号の説明】
【００１４】
1、廃液回収カップ、2、環形消音装置、3、反応チャンバー、4、吸気管、5、取水口、6、水位調節器、7、ウォーターポンプ、8、多孔板、9、圧縮キャビン、10、圧縮キャビン取水管、11、取付板、12、回転舌、13、押しブロック、14、固定ブロック、15、可動ブロック、21、吸気口、22、排気口、23、消音チャネル、31、底板、41、吸気口、61、排水管、62、調節レバー、63、ノブ、64、栓、81、螺旋状篩目、91、螺旋状チャネル、611、水排出口、621、ラック、121、座屈用口、131、ボルト調節穴、132、圧着板、151、とめ金、152、ガセット板。
【考案を実施するための形態】
【００１５】
次に添付図と結びづいて本実用新案を更に説明する。
図1〜図6を参照すると、本実用新案は、一種のタンパク質分離構造を開示し、反応チャンバー3及び反応チャンバー3の上端に接続されている廃液回収カップ1を含み、反応チャンバー3内にウォーターポンプ及びウォーターポンプと連通する圧縮チャンバー9が設けられ、具体的には、圧縮チャンバー水管10を通して、圧縮チャンバー9をウォーターポンプ7の水排出口と連結することができる。圧縮チャンバー9の底部に螺旋チャンネル91が設けられ、圧縮チャンバー9の頂部に多孔板8が設けられ、多孔板8に螺旋状チャンネル91と同じ回転方向の螺旋状多孔板81が設置設けられ、螺旋状チャンネル91を経てウォーターポンプ7が水体を圧縮チャンバー9まで汲み上げる。水体が多孔板8に衝突することによって、螺旋状多孔板81が反応チャンバー3へ噴射するようにする。このような螺旋式衝撃方式は、水体中の泡の発生を激発することでバブリング効率を高くすることができ、浄化効果が明らかで、且つ、螺旋方式は、水体を高速で回転させて遠心運動をさせることができるので、発生する運動エネルギーが直射式より遥かに高く、且つ、発生する泡の量は、水体の中の蛋白質の吸着効果に直接的に影響を与える。
【００１６】
さらに、ウォーターポンプ7の取水口が、反応チャンバー3外側に設置されている取水口5と通じ、取水口5の直径方向側面壁に、取水口5と通じる吸気口41が設置され、ウォーターポンプ7が取水口5を通して水をくみ上げる時に、取水口5箇所で発生する陰圧が吸気口41箇所で空気を抽出して水体に混ぜる。この設置において、水体を抽出すると同時に、生じる陰圧を利用して空気の吸引を行うことによって、空気を水体に混ぜて一緒に圧縮チャンバー9にくみ上げるので、泡を著しく増加する。その上、この設置は、バブリング・プロセスにガスを注入する為に特別な装置を要求しない。
【００１７】
さらに、廃液収集カップ1と反応チャンバー3が、環形消音装置2を通じて連結し、環形消音装置2に、吸気口21、排気口22及び消音チャネル23が設置され、吸気口穴21と前記排気口22が、環形消音装置2内部の消音チャネル23を通じて互いに連結し、排気口22が環状消音器2の一端から露出し、吸気管4を介して吸気口41と連通する。接続構造部品内に集積される消音設計を通じて、装置の使用スペースを節約し、且つ、全体的な感覚が良いので、装置の外側に独立に設置される消音装置によって引き起こした全体的な異常感覚を避ける。
【００１８】
さらに、反応チャンバー3の一側に反応チャンバー3底部と連通する水位調節器が設けられ、水位調節器が排水口611と排水管61を含み、 排水管61に調節レバー62を内蔵し、調節レバー62の底部に、排水管61の内壁に合わせる栓部64と連結し、調節レバー62の頂部がラック621を通じてノブ63と噛み合わせ、回転ノブ63が伝動ラック621と噛み合わせ、調節レバー62が底部の栓部64を動かして排水管61に沿って上下に運動して排水口611の排水量を調節する。ノブ63がラック621とかみ合わせることによって、栓64の上下運動の変位を有効に制御することができるので、更に栓64による水排出口611の詰まりを実現できる。その制御精度が、直接にラック621の歯間ギャップを源とし、調節が制御し易く、且つ、水位調節精度が高くなる。
【００１９】
さらに、反応チャンバー3の底板31は取付板11のクイックリリース構造に固定し取り付けることをさらに含み、このクイックリリース構造は、装置の取付と分解効率を有効に向上させる。さらに、前記クイックリリース構造が、基板31に設置されているボルト調整穴131であり、ボルトが当該ボルト調整穴を通して、取付板11に固定され、取付板11と相対して底板31を回し、ボルトが、ボルト調整穴131に沿って滑り、ボルト調整穴131に、少なくとも一つの箇所が、ボルトの大きな端が通るように備える。これで、ボルトを緩めるか、きちんと締め付けるだけで、底板31を取付板11に固定することができ、一方で、ボルト調節穴131箇所を通じて、取付時の穴位置合わせ難度を低減することができる。
【００２０】
さらに、クイックリリース構造が、ボルトを中心に回転可能な回転舌12を含み、回転舌12の下端に底板31座屈用口121が設けられ、回転舌12がボルトを通じて固定板に取り付けられる。この回転式のロック方式について、台座寸法が不固定である時に柔軟に応用することができる。実際ニーズに応じて、座屈用口121の高さを調節することができる。回転舌12が、底座に合わせるまで回転する時に、座屈用口121は、底座を固定板に押し付けることができる。
【００２１】
さらに、クイックリリース構造が、ボルト調整穴131が設置されている押しブロック13を含み、ボルトがボルト調整穴131を通して、取付板11と連結し、螺旋調節穴131に沿って押しブロック13を押し、押しブロック13の側面の押し板132が底板31の上表面まで伸びて、ボルトをロックし、且つ、底板31を取付板11に固定する。
【００２２】
さらに、クイックリリース構造が、ボルトを通じて取付板11に固定される固定ブロック14及び、固定ブロック14とソケット連結する可動ブロック15を含み、可動ブロック15のとめ金151が、固定ブロック14的の側端を貫通し、且つ、底板31を取付板11に押し付ける。
【００２３】
さらに、可動ブロック15に、とめ金151の側端にガセット板152が設けられ、とめ金151は固定ブロック14と連結する時に、ガセット板152と固定ブロック14との間に隙間がある。これで、がセット板152を動かして、可動ブロック15のとめ金151を、固定ブロック14から分離することが容易になり、これで、装置をさらに取り外すことができるので、使用が極めて便利である。
【００２４】
前記述べたものは、本実用新案の比較に良い実施形態だけであり、前記の具体的な実施例は、本実用新案に対する制限ではない。在本実用新案の技術的思想の範疇内において、各種の変形及び修正を行うことができる。本分野における普通技術者により、以上の説明に従って実施される修飾、修正又は同等な置換は、皆本実用新案の保護範囲に属する。
【図１】
0003224668.tif 000003
【図２】
0003224668.tif 000004
【図３】
0003224668.tif 000005
【図４】
0003224668.tif 000006
【図５】
0003224668.tif 000007
【図６】
0003224668.tif 000008
【手続補正書】
【提出日】令和1年10月17日(2019.10.17)
【手続補正１】
【補正対象書類名】実用新案登録請求の範囲
【補正対象項目名】全文
【補正方法】変更
【補正の内容】
【実用新案登録請求の範囲】
【請求項１】
蛋白質分離構造であり、反応チャンバー及び反応チャンバーの上端に接続されている廃液回収カップを含み、 前記反応チャンバー内にウォーターポンプ及びウォーターポンプと連通する圧縮チャンバーが設けられ、前記圧縮チャンバーの底部に螺旋状チャンネルが設けられ、 圧縮チャンバーの頂部に多孔板が設けられ、前記多孔板に螺旋状チャンネルと同じ回転方向の螺旋状篩目が設置設けられ、且つ、螺旋状チャンネルを経て前記ウォーターポンプが水体を圧縮チャンバーまで汲み上げ、水体が前記多孔板に衝突することによって、螺旋状篩目が反応チャンバーへ噴射するようにすることを特徴とする、蛋白質分離構造。
【請求項２】
前記ウォーターポンプの取水口端が、反応チャンバーの外側に設置されている取水口端と連通しており、取水口の半径方向側壁に、取水口と連通する吸気口が設けられ、前記ウォーターポンプが取水口を経て水を汲み上げる時、取水口箇所で発生する負圧が吸気口から空気を抽出して水体に混入することを特徴とする請求項1に記載の蛋白質分離構造。
【請求項３】
前記廃液回収カップと前記反応チャンバーの間に、環状の消音器を通じて接続し、前記環状の消音器に吸気口、排気口と消音チャンネルが設けられており、前記吸気口と排気口が、環状消音器の内部の消音チャンネルを介して連通しており、前記排気口が、環状消音器の一端から露出し、吸気管を介して吸気口と連通することを特徴とする請求項2に記載の蛋白質分離構造。
【請求項４】
前記反応チャンバーの一側に、反応チャンバー底部と連通する水位調節器が設けられ、前記水位調節器は排水口と排水管を含み、 前記排水管に調節レバーを内蔵し、前記調節レバーの底部に排水管の内壁に合わせる栓部と連結し、前記調節レバーの頂部がラックを通じてノブと噛み合わせ、回転ノブを回転し、ラックと噛み合わせ、調節レバーが底部の栓部を動かして排水管に沿って上下に運動して排水口の排水量を調節することを特徴とする請求項1-3の何れか一に記載の蛋白質分離構造。
【請求項５】
反応チャンバーの底板を取付板のクイックリリース構造に固定し、取り付けることをさらに含むことを特徴とする請求項4に記載の蛋白質分離構造。
【請求項６】
前記クイックリリース構造が、底板に設置されているボルト調整穴であり、ボルトが当該ボルト調整穴を通して、取付板に固定され、取付板と相対して底板を回し、ボルトがボルト調整穴に沿って滑り、ボルト調整穴に、少なくとも一つの箇所が、ボルトの大きな端が通るように備えることを特徴とする請求項5に記載の蛋白質分離構造。
【請求項７】
前記クイックリリース構造が、ボルトに沿って回転可能な回転舌を含み、前記回転舌の下端に底板座屈用口が設けられ、前記回転舌がボルトを通じて固定板に取り付けられることを特徴とする請求項5に記載の蛋白質分離構造。
【請求項８】
前記クイックリリース構造が、ボルト調整穴が設置されている押しブロックを含み、ボルトがボルト調節穴を通じて取付板と連結し、ボルト調節穴に沿って押しブロックを押し、押しブロックの側面の押し板が底板の上表面まで伸びて、ボルトをロックし、底板を取付板に固定することを特徴とする請求項5に記載の蛋白質分離構造。
【請求項９】
前記クイックリリース構造が、ボルトを通じて取付板に固定される固定ブロック及び、固定ブロックと連結する可動ブロックを含み、前記可動ブロックのとめ金が固定ブロックの側端を貫通し、且つ底板を取付板に押し付けることを特徴とする請求項5に記載の蛋白質分離構造。
【請求項１０】
前記可動ブロックに、前記とめ金の側端にガセット板が設けられ、とめ金が固定ブロックと連結する時に、ガセット板と固定ブロックとの間に隙間があることを特徴とする請求項9に記載の蛋白質分離構造。